(57)【要約】【課題】表示切換の速度を調整可能とし、所望のページを迅速に表示させることが可能な表示装置、表示方法を提供することを目的としている。【解決手段】表示装置の備える画素電極を複数の画素グループに分割し、複数の画素グループのうち、第一の画素グループにおいてフレームの表示が完了する前に、第二の画素グループにおいて他のフレームの表示を開始させることにより、フレームの表示切換時間を短縮する。表示装置は、フレーム表示切換中に画素グループの数を変更することにより、表示切換の速度を調整し、所望のフレームを迅速に表示させる。【選択図】図１５
2008164793.tif 000002
【特許請求の範囲】
【請求項１】
電気泳動素子を挟んで対向して設けられた二つの基板と、一方の前記基板にマトリクス状に配置され、複数の画素グループに分割された画素電極と、他方の前記基板に配置された共通電極とを有する表示装置において、
前記画素グループにおけるフレームの表示を制御する制御手段と、
前記画素グループの数を変更する画素グループ数変更手段とを有し、
前記制御手段は、前記複数の画素グループのうちの第一の画素グループにおいて第一のフレームの表示が完了する前に、前記複数の画素グループのうちの第二の画素グループにおいて第二のフレームの表示を開始させ、
前記画素グループ数変更手段は、前記制御手段による表示中であって、所定の条件を満たしたとき、前記画素グループの数を変更することを特徴とする表示装置。
【請求項２】
前記所定の条件は、前記制御手段によるフレームの表示が開始されてからの経過時間に係る条件であることを特徴とする請求項１に記載の表示装置。
【請求項３】
前記所定の条件は、前記制御手段によるフレームの表示が開始されてから表示されたフレーム数に係る条件であることを特徴とする請求項１に記載の表示装置。
【請求項４】
電気泳動素子を挟んで対向して設けられた二つの基板と、一方の前記基板にマトリクス状に配置され、複数の画素グループに分割された画素電極と、他方の前記基板に配置された共通電極とを有する表示装置において、
前記画素グループにおけるフレームの表示を制御する制御手段と、
当該表示装置において表示される前記フレームの最大フレーム数に対する、各画素グループにおいて表示されるフレーム数の比率を設定する比率設定手段と、
前記比率を変更する比率変更手段とを有し、
前記制御手段は、前記複数の画素グループのうちの第一の画素グループにおいて第一のフレームの表示が完了する前に、前記複数の画素グループのうちの第二の画素グループにおいて第二のフレームの表示を開始させ、
前記比率変更手段は、前記制御手段による表示の制御中であって、所定の条件を満たした多とき、前記比率を変更することを特徴とする表示装置。
【請求項５】
前記所定の条件は、前記制御手段によるフレームの表示が開始されてからの経過時間に係る条件であることを特徴とする請求項４に記載の表示装置。
【請求項６】
前記所定の条件は、前記制御手段によるフレームの表示が開始されてから表示されたフレーム数に係る条件であることを特徴とする請求項４に記載の表示装置。
【請求項７】
電気泳動素子を挟んで対向して設けられた二つの基板と、一方の前記基板にマトリクス状に配置され、複数の画素グループに分割された画素電極と、他方の前記基板に配置された共通電極とを有する表示装置において、
前記画素グループにおけるフレームの表示の切換を制御する制御手段と、
当該表示装置を操作する操作手段とを有し、
前記制御手段は、
前記複数の画素グループのうちの第一の画素グループにおいて第二のフレームの表示が完了する前に、前記複数の画素グループのうちの第二の画素グループにおいて第一のフレームから第三のフレームへの表示の切換を開始させ、
前記操作手段による表示の切換の終了指示を受けると、前記終了指示を受けた時点で表示していたフレームよりも所定フレーム数前のフレームを表示させることを特徴とする表示装置。
【請求項８】
前記制御手段は、前記所定フレーム数を、前記画素グループの数に基づき決定することを特徴とする請求項７に記載の表示装置。
【請求項９】
前記制御手段は、前記所定フレーム数を、当該表示装置において表示されるフレームの最大フレーム数に対する、各画素グループにおいて表示されるフレーム数の比率に基づき決定することを特徴とする請求項７に記載の表示装置。
【請求項１０】
電気泳動素子を挟んで対向して設けられた二つの基板と、一方の前記基板にマトリクス状に配置され、複数の画素グループに分割された画素電極と、他方の前記基板に配置された共通電極とを有する表示装置における表示方法において、
前記画素グループにおけるフレームの表示を制御する制御手順と、
前記画素グループの数を変更する画素グループ数変更手順とを有し、
前記制御手順は、前記複数の画素グループのうちの第一の画素グループにおいて第一のフレームの表示が完了する前に、前記複数の画素グループのうちの第二の画素グループにおいて第二のフレームの表示を開始させ、
前記画素グループ数変更手順は、前記フレームの表示中であって、所定の条件を満たしたときに、前記画素グループの数を変更することを特徴とする表示方法。
【請求項１１】
電気泳動素子を挟んで対向して設けられた二つの基板と、一方の前記基板にマトリクス状に配置され、複数の画素グループに分割された画素電極と、他方の前記基板に配置された共通電極とを有する表示装置における表示方法において、
前記画素グループにおけるフレームの表示を制御する制御手順と、
当該表示装置において表示される前記フレームの最大フレーム数に対する、各画素グループにおいて表示されるフレーム数の比率を設定する比率設定手順と、
前記比率を変更する比率変更手順とを有し、
前記制御手順は、前記複数の画素グループのうちの第一の画素グループにおいて第一のフレームの表示が完了する前に、前記複数の画素グループのうちの第二の画素グループにおいて第二のフレームの表示を開始させ、
前記比率変更手順は、前記フレームの表示中であって、所定の条件を満たしたとき、前記比率を変更することを特徴とする表示方法。
【請求項１２】
電気泳動素子を挟んで対向して設けられた二つの基板と、一方の前記基板にマトリクス状に配置され、複数の画素グループに分割された画素電極と、他方の前記基板に配置された共通電極と、当該表示装置を操作する操作手段とを有する表示装置における表示方法において、
前記画素グループにおけるフレームの表示の切換を制御する制御手順を有し、
前記制御手順は、
前記複数の画素グループのうちの第一の画素グループにおいて第二のフレームの表示が完了する前に、前記複数の画素グループのうちの第二の画素グループにおいて第一のフレームから第三のフレームへの表示の切換を開始させ、
前記操作手段による表示の切換の終了指示を受けると、前記終了指示を受けた時点で表示していたフレームよりも所定フレーム数前のフレームを表示させることを特徴とする表示方法。
【発明の詳細な説明】
【技術分野】
【０００１】
本発明は、電気泳動素子を用いた表示装置、表示方法に関する。
【背景技術】
【０００２】
近年、様々な方式のペーパー型の表示装置が開発されている。このような表示装置では、例えばその表示部に１ページの文書を表示させ、表示させるページ（フレーム）を順次切り替えて行くことにより実際の書籍と同じようにユーザの任意の速度に合わせてページをめくることができる電子書籍などに用いられている。このようなペーパー型の表示装置では、例えば電気泳動素子を用いた表示装置が提案されている。図１は従来の電気泳動素子を用いた表示装置の構成例を説明する図である。
【０００３】
図１は従来の表示装置１００の構成を説明する第一の図、図２は従来の表示装置１００の構成を説明する第二の図、図３は、ＴＦＴ１０５を拡大した図である。
【０００４】
図１に示すように、表示装置１００は、表示部１２０と表示部を駆動する駆動回路１３０とを有する。
【０００５】
以下、図１、図２を参照して表示部１２０について説明する。
【０００６】
表示部１２０は、図２に示すように、対向した基板である電極基板１０１Ａ、回路基板１０２Ａを有し、電極基板１０１Ａには透明な共通電極１０１が設けられている。そして、回路基板１０２Ａには、薄膜トランジスタ（以下、ＴＦＴ（Thin Film Transistor））１０５、走査線１０６、信号線１０７が設けられ、さらにその上にマトリクス状に区切られて配列された画素電極１０２が設けられている。
【０００７】
共通電極１０１と画素電極１０２の間には、正電荷または負電荷を帯電した白色泳動粒子１０３と黒色泳動粒子１０４とが分散した液体が封入されている。このとき白色泳動素子１０３と黒色泳動素子１０４は互いに異なる電荷を帯電している。電極基板１０１Ａに設けられた共通電極１０１には、一定の電圧が印加される。回路基板１０２Ａに設けられた画素電極１０２は、それぞれが、回路基板１０２Ａに実装されたＴＦＴ１０５のソース電極と導通している（図３参照）。
【０００８】
そして、回路基板１０２Ａに設けられたＴＦＴ１０５のうち、行方向に配置されたＴＦＴ１０５は、互いのゲート電極１１２が走査線１０６に接続される（図３参照）。また、列方向に配置されたＴＦＴ１０５は互いのゲート電極１１２が回路基板１０２Ａ上の信号線１０７に接続される（図示せず）。
【０００９】
ＴＦＴ１０５は、ゲート電極１１２に印加される電圧によって、ソース電極１１３とドレイン電極１１４との間に流れる電流量を制御している。ここで、ＴＦＴ１０５のソース−ドレイン電流が大きい場合、ＴＦＴ１０５のスイッチングをオン状態とし、ソース−ドレイン電流が小さい場合、ＴＦＴ１０５のスイッチングをＯＦＦ状態とする。
【００１０】
駆動回路１３０は、コントローラ１０８、メモリ１０９、走査線ドライバ１１０、信号線ドライバ１１１とから構成されている。コントローラ１０８は、表示装置１００における表示を制御する制御手段である。メモリ１０９には、表示装置１００に表示される複数のフレームの有するパターンを形成する各画素毎の表示データが記憶されている。
【００１１】
以下に図１を参照して表示装置１００の動作について説明する。
【００１２】
表示装置１００に新たなフレームを表示する場合、コントローラ１０８から走査線ドライバ１１０へ走査命令信号１０Ｂが送られる。この走査命令信号１０Ｂにより、走査線ドライバ１１０から、走査線１０６を通じてＴＦＴ１０５のゲート電極１１２に電圧が印加され、ＴＦＴ１０５のスイッチングが制御される。ここで、コントローラ１０８からの走査命令信号１０Ｂには、オン状態とするＴＦＴ１０５を決定する制御信号及び走査線ドライバ１１０から電圧を出力するタイミングを決定する制御信号が含まれる。
【００１３】
また、コントローラ１０８からは、メモリ１０９へアドレッシング信号１０Ａが送られ、信号線ドライバ１１１へ表示命令信号１０Ｃが送られる。メモリ１０９では、アドレッシング信号１０Ａに基づき、フレームの有するパターンを形成する各画素毎の表示データ１０Ｄが抽出される。抽出された表示データ１０Ｄは、信号線ドライバ１１１へ送られる。
【００１４】
信号線ドライバ１１１は、表示命令信号１０Ｃと表示データ１０Ｄに基づき、信号線１０７を通じて各ＴＦＴ１０５のゲート電極１１２に電圧を印加する。ここでコントローラ１０８からの表示命令信号１０Ｃには、信号線ドライバ１１１から電圧が出力されるタイミングを決定する制御信号が含まれている。
【００１５】
画素電極１０２には、オン状態のＴＦＴ１０５を介して、ＴＦＴ１０５のゲート電極１１２に印加された電圧が印加される。そして、画素電極１０２に正電圧または負電圧が印加される。すると、画素電極１０２と共通電極１０１との間に電位差による電界が生じ、白色泳動素子１０３または黒色泳動素子１０４が共通電極１０１側へ移動する。これにより、共通電極１０１側にパターンが表示される。
【００１６】
このように、表示装置１００では、走査命令信号１０Ｂに基づき走査線１０６に接続されたＴＦＴ１０５を順次オン状態とし、全てのＴＦＴ１０５に接続された画素電極１０２で所望のパターンが表示された時点で、フレームの表示が完了する。尚、ＴＦＴ１０５を順次オンの状態として行くことを以下の説明において走査と言う。
【００１７】
以下に、図４、図５を参照して表示装置１００におけるフレームの切換動作について説明する。図４は表示装置１００における表示部の一例を示す図であり、図５は表示装置１００におけるフレームの切換動作を説明するタイミングチャートである。
【００１８】
図４に示す表示部Ａ０１は、走査線Ｘ１〜Ｘ６と、信号線Ｙ１〜Ｙ８を有する。また、図５に示すタイミングチャートにおける走査線Ｘ１〜Ｘｍは、表示部Ａ０１の走査線Ｘ１〜Ｘ６に該当し、信号線Ｙ１〜Ｙｎは、表示部Ａ０１の信号線Ｙ１〜Ｙ８に該当する。そして、表示部Ａ０１の初期状態における表示状態を図５に示す表示状態Ａとし、表示部Ａ０１における表示状態は、表示状態Ａから表示状態Ｂ、表示状態Ｂから表示状態Ｃへと切り替わっていくものとする。
【００１９】
表示装置１００は、表示部Ａ０１において走査線Ｘ１から走査線Ｘ６まで順次走査する。すなわち、走査線Ｘ１に接続されたＴＦＴ１０５から走査線Ｘ６に接続されたＴＦＴ１０５までが順次オンの状態となるようにスイッチング制御する。尚ここでは、ＴＦＴ１０５のソース−ドレイン電流がハイレベル（以下、Ｈレベル）のとき、ＴＦＴ１０５はＯＦＦの状態となり、ＴＦＴ１０５のソース−ドレイン電流がローレベル（以下、Ｌレベル）のとき、ＴＦＴ１０５はオンの状態となるものとした。
【００２０】
表示部Ａ０１では、一度の走査に係る時間である走査時間Ｂ０２が経過すると、各画素電極１０２では、表示状態Ｂを示すパターンの表示させるための電圧が印加された状態となる。
【００２１】
すると表示装置１００では、画素電極１０２と共通電極１０１との間に生じた電界により白色泳動素子１０３と黒色泳動素子１０４が移動して、各画素電極１０２がある色のパターンから別の色のパターンに切りかわる。そして、各画素電極１０２が別の色のパターンに切り換わるまでに要する画素パターン切換時間Ｂ０１を経過すると、表示部Ａ０１の表示状態は、表示状態Ａから表示状態Ｂへ切りかわる。
【００２２】
すなわち、表示装置１００では、表示部Ａ０１に表示されるフレームの切り換えにおいて、１フレームの表示の切り換えに要する表示切換時間は、走査時間と画素パターン切換時間との合計となる。
【００２３】
表示装置１００における走査時間は、各走査線１０６を走査し、各画素電極１０２に電圧を印加する期間である。ここで、各画素電極１０２に電圧を印加する時間は極めて短いため、走査時間は、画素パターン切換時間よりも十分短い。よって、１フレームの表示に要する時間は、画素パターン切換時間の長さに依存する。
【発明の開示】
【発明が解決しようとする課題】
【００２４】
しかしながら、画素パターン切換時間は数１０〜数１００ｍｓであり、これは液晶ディスプレイ等、他の方式のディスプレイよりも長く表示の切り換えに時間がかかる。この画素パターン切換時間は、電気泳動素子の特性などに依存するものであり、表示方法に関わらず一定である。よって、表示させるフレームを切り換える際に、画素パターン切換時間を短縮させることにより、表示の切換に係る表示切換時間を短縮することは困難である。
【００２５】
また、表示装置では、複数のフレームを順次切り換えて表示させることにより、ユーザの所望のフレームを表示させる場合がある。例えば複数のページ（フレーム）を有する電子文書等において、ユーザがページを１ページずつめくり、所望のページを探す場合などである。このような場合に上記従来の表示装置では、ページをめくるスピードを調整することができない。よって例えば所望のページに到達するまでに多数のページをめくる必要がある場合などには、所望のページが表示されるまでに時間がかかる。
【００２６】
本発明は、上記の事情を鑑みてこれを解消すべくなされたものであり、表示切換の速度を調整可能とし、所望のページを迅速に表示させることが可能な表示装置、表示方法を提供することを目的としている。
【課題を解決するための手段】
【００２７】
本発明の表示装置は、上記の目的を達成するために、以下の如き構成とした。
【００２８】
本発明の表示装置は、電気泳動素子を挟んで対向して設けられた二つの基板と、一方の前記基板にマトリクス状に配置され、複数の画素グループに分割された画素電極と、他方の前記基板に配置された共通電極とを有する表示装置において、前記画素グループにおけるフレームの表示を制御する制御手段と、前記画素グループの数を変更する画素グループ数変更手段とを有し、前記制御手段は、前記複数の画素グループのうちの第一の画素グループにおいて第一のフレームの表示が完了する前に、前記複数の画素グループのうちの第二の画素グループにおいて第二のフレームの表示を開始させ、前記画素グループ数変更手段は、前記制御手段による表示中であって、所定の条件を満たしたとき、前記画素グループの数を変更する構成とした。
【００２９】
係る構成によれば、表示切換の速度を調整可能とし、所望のページを迅速に表示させることができる。
【００３０】
また、前記所定の条件は、前記制御手段によるフレームの表示が開始されてからの経過時間に係る条件である構成としても良い。
【００３１】
係る構成によれば、表示が開始されてから所定時間が経過した場合に画素グループの数が変更されるため、所定時間経過した後に表示切換の速度を変更することができる。
【００３２】
また、前記所定の条件は、前記制御手段によるフレームの表示が開始されてから表示されたフレーム数に係る条件ある構成としても良い。
【００３３】
係る構成によれば、表示が開始されてから所定フレーム数が表示された場合に画素グループの数が変更されるため、所定フレーム数が表示された後に表示切換の速度を変更することができる。
【００３４】
本発明の表示装置は、電気泳動素子を挟んで対向して設けられた二つの基板と、一方の前記基板にマトリクス状に配置され、複数の画素グループに分割された画素電極と、他方の前記基板に配置された共通電極とを有する表示装置において、前記画素グループにおけるフレームの表示を制御する制御手段と、当該表示装置において表示される前記フレームの最大フレーム数に対する、各画素グループにおいて表示されるフレーム数の比率を設定する比率設定手段と、前記比率を変更する比率変更手段とを有し、前記制御手段は、前記複数の画素グループのうち第一の画素グループにおいて第一のフレームの表示が完了する前に、前記複数の画素グループのうち第二の画素グループにおいて第二のフレームの表示を開始させ、前記比率変更手段は、前記制御手段による表示の制御中であって、所定の条件を満たした多とき、前記比率を変更する構成とした。
【００３５】
係る構成によれば、表示切換の速度を調整可能とし、所望のページを迅速に表示させることができる。
【００３６】
また、前記所定の条件は、前記制御手段によるフレームの表示が開始されてからの経過時間に係る条件である構成としても良い。
【００３７】
係る構成によれば、表示が開始されてから所定時間が経過した場合に比率が変更されるため、所定時間が経過した後に表示切換の速度を変更することができる。
【００３８】
また、前記所定の条件は、前記制御手段によるフレームの表示が開始されてから表示されたフレーム数に係る条件である構成とすることができる。
【００３９】
係る構成によれば、表示が開始されてから所定フレーム数が表示された場合に比率が変更されるため、所定フレーム数が表示された後に表示切換の速度を変更することができる。
【００４０】
本発明の表示装置は、電気泳動素子を挟んで対向して設けられた二つの基板と、一方の前記基板にマトリクス状に配置され、複数の画素グループに分割された画素電極と、他方の前記基板に配置された共通電極とを有する表示装置において、前記画素グループにおけるフレームの表示の切換を制御する制御手段と、当該表示装置を操作する操作手段とを有し、前記制御手段は、前記複数の画素グループのうちの第一の画素グループにおいて第二のフレームの表示が完了する前に、前記複数の画素グループのうちの第二の画素グループにおいて第一のフレームから第三のフレームへの表示の切換を開始させ、前記操作手段による表示の切換の終了指示を受けると、前記終了指示を受けた時点で表示していたフレームよりも所定フレーム数前のフレームを表示させる構成とすることができる。
【００４１】
係る構成によれば、所望のページを迅速に表示させることができる。
【００４２】
また前記制御手段は、前記所定フレーム数を、前記画素グループの数に基づき決定する構成としても良い。
【００４３】
係る構成によれば、前記終了指示を受けた場合に、表示切換の速度に合わせて、遡って表示させるフレームを決定することができる。
【００４４】
また前記制御手段は、前記所定フレーム数を、当該表示装置において表示されるフレームの最大フレーム数に対する、各画素グループにおいて表示されるフレーム数の比率に基づき決定する構成としても良い。
【００４５】
係る構成によれば、前記終了指示を受けた場合に、表示切換の速度に合わせて、遡って表示させるフレームを決定することができる。
【００４６】
本発明の表示方法は、電気泳動素子を挟んで対向して設けられた二つの基板と、一方の前記基板にマトリクス状に配置され、複数の画素グループに分割された画素電極と、他方の前記基板に配置された共通電極とを有する表示装置における表示方法において、前記画素グループにおけるフレームの表示を制御する制御手順と、前記画素グループの数を変更する画素グループ数変更手順とを有し、前記制御手順は、前記複数の画素グループのうちの第一の画素グループにおいて第一のフレームの表示が完了する前に、前記複数の画素グループのうちの第二の画素グループにおいて第二のフレームの表示を開始させ、前記画素グループ数変更手順は、前記フレームの表示中であって、所定の条件を満たしたときに、前記画素グループの数を変更する方法とした。
【００４７】
係る方法によれば、表示切換の速度を調整可能とし、所望のページを迅速に表示させることができる。
【００４８】
本発明の表示方法は、電気泳動素子を挟んで対向して設けられた二つの基板と、一方の前記基板にマトリクス状に配置され、複数の画素グループに分割された画素電極と、他方の前記基板に配置された共通電極とを有する表示装置における表示方法において、前記画素グループにおけるフレームの表示を制御する制御手順と、当該表示装置において表示される前記フレームの最大フレーム数に対する、各画素グループにおいて表示されるフレーム数の比率を設定する比率設定手順と、前記比率を変更する比率変更手順とを有し、前記制御手順は、前記複数の画素グループのうちの第一の画素グループにおいて第一のフレームの表示が完了する前に、前記複数の画素グループのうちの第二の画素グループにおいて第二のフレームの表示を開始させ、前記比率変更手順は、前記フレームの表示中に、所定の条件を満たしたとき、前記比率を変更する方法とした。
【００４９】
係る方法によれば、表示切換の速度を調整可能とし、所望のページを迅速に表示させることができる。
【００５０】
本発明の表示方法は、電気泳動素子を挟んで対向して設けられた二つの基板と、一方の前記基板にマトリクス状に配置され、複数の画素グループに分割された画素電極と、他方の前記基板に配置された共通電極と、当該表示装置を操作する操作手段とを有する表示装置における表示方法において、前記画素グループにおけるフレームの表示の切換を制御する制御手順を有し、前記制御手順は、前記複数の画素グループのうちの第一の画素グループにおいて第二のフレームの表示が完了する前に、前記複数の画素グループのうちの第二の画素グループにおいて第一のフレームから第三のフレームへの表示の切換を開始させ、前記操作手段による表示の切換の終了指示を受けると、前記終了指示を受けた時点で表示していたフレームよりも所定フレーム数前のフレームを表示させる方法とした。
【００５１】
係る方法によれば、表示切換の速度を調整可能とし、所望のページを迅速に表示させることができる。
【発明の効果】
【００５２】
本発明によれば、表示切換の速度を調整可能とし、所望のページを迅速に表示させることができる。
【発明を実施するための最良の形態】
【００５３】
本発明では、表示装置の備える画素電極を複数の画素グループに分割し、複数の画素グループのうち、第一の画素グループにおいてフレームの表示が完了する前に、第二の画素グループにおいて他のフレームの表示を開始させる。これにより複数のフレームを順次切り換えて表示させる場合のフレーム表示切換時間を短縮する。また本発明では、フレーム表示切換中に、画素グループの数を変更することにより、表示切換の速度を調整し、所望のフレームを迅速に表示させる。
（第一の実施形態）
以下に図６を参照して本発明の第一の実施形態について説明する。図６は第一の実施形態の表示装置４００の構成を示すブロック図である。
【００５４】
表示装置４００は、電気泳動素子を用いた表示部４１０と、表示部４１０を駆動させる駆動部４２０とを有する。本実施形態の表示装置４００では、例えば複数のページを有する電子書籍などを表示するために用いられるものである。表示装置４００では、表示部４１０に表示されるページを順次切り換えて表示することにより、複数のページをめくるように表示させることができる。尚、本実施形態の説明では、例えばこのような電子書籍におけるページのように、表示部４１０において表示される静止画像をフレームと呼ぶ。
【００５５】
表示部４１０において、図１の表示部１２０と同様の構成である部分には、図１で使用した符号と同様の符号を付与し、説明を省約する。表示部４１０における表示については後述する。
【００５６】
駆動部４２０は、コントローラ４２１、メモリ４２２、走査線ドライバ４２３、信号線ドライバ４２４、設定部４２５、操作部４２７とから構成されている。
【００５７】
コントローラ４２１は表示部４１０における表示の制御を司る。またコントローラ４２１は、画素グループの数を変更する変更機能を実現する変更部４２６を有する。変更部４２６についての詳細は後述する。メモリ４２２には、表示部４１０に表示される複数のフレームと、各フレームの有するパターンを形成する各画素電極毎の表示データ、表示部４１０において現在表示されているフレームが、複数のフレームのうち何番目のフレームであるかを認識するための識別情報等が格納されている。
【００５８】
走査線ドライバ４２３は、コントローラ４２１から出力される走査命令信号に基づき走査線１０６を走査する。信号線ドライバ４２４はコントローラ４２１からの表示命令信号に基づき、オン状態のＴＦＴ１０５に接続された画素電極１０２へ表示データを出力する。設定部４２５では、表示装置４００における各種設定が行われる。操作部４２７では、表示装置４００の操作が行われる。
【００５９】
以下に、本実施形態の表示装置４００の動作を説明する。
【００６０】
表示装置４００においてユーザにより操作部４２７により表示指示がなされると、コントローラ４２１は、走査線ドライバ４２３へ走査命令信号４２１Ａを出力する。走査線ドライバ４２３は、この走査命令信号４２１Ａを受けて、走査線１０６に順次電圧を印加し、各走査線上にあるＴＦＴ１０５へ電圧を印加していく。
【００６１】
また、コントローラ４２１は、表示指示を受けて、信号線ドライバ４２３へ表示命令信号４２１Ｂを出力し、メモリ４２２へアドレッシング信号４２１Ｃを出力する。メモリ４２２は、このアドレッシング信号４２１Ｃを受けると、アドレッシング信号４２１Ｃに基づき各フレームのパターンを形成する各画素毎の表示データ４２２Ｄを抽出し、抽出された各画素電極毎の表示データ４２２Ｄを信号線ドライバ４２３へ出力する。
【００６２】
信号線ドライバ４２４は、コントローラ４２１からの表示命令信号４２１Ｂを受けて、信号線１０７へ電圧を印加し、メモリ４２２から受けた表示データをオン状態となっているＴＦＴ１０５に接続された画素電極１０２へ表示させる。
【００６３】
ここで、図７を参照して表示部４１０における表示について説明する。図７は第一の実施形態の表示部４１０を２つの画素グループに分割した場合を示す図である。
【００６４】
表示部４１０では、画素電極１０２が走査線を単位として二つの画素グループＡ、画素グループＢに分割されている。本実施形態では、表示部４１０における走査線１０６をＸ１〜Ｘｎ（ｎは整数）としたとき、ｎが奇数の走査線上にある画素電極１０２を画素グループＡに属する画素電極とした。そして、ｎが偶数の走査線上にある画素電極１０２を画素グループＢに属する画素電極とした。
【００６５】
このように、画素電極１０２を画素グループＡに属する画素電極と、画素グループＢに属する画素電極に分割し、各々の画素グループに属する画素電極に、それぞれ異なるフレームのパターンを形成する表示データを表示させることにより、表示部４１０において、同時に異なる二つのフレームを表示させることができる。
【００６６】
各画素グループにおける表示の制御は、設定部４２５の設定に基づきコントローラ４２１により行われる。
【００６７】
設定部４２５では、例えばメモリ４２２に格納された複数のフレームを、それぞれどの画素グループに表示させるかを設定することが可能であっても良い。コントローラ４２１は、この設定に基づき各画素グループの画素電極１０２に表示させる表示データの出力を制御する。
【００６８】
例えば設定部４２５において、画素グループＡには複数フレームの中で偶数番目のフレームを表示させ、画素グループＢには複数フレームの中で奇数番目のフレームを表示させるように設定されていたとする。この場合、コントローラ４２１は、走査によりオン状態となったＴＦＴ１０５に接続された画素グループＡに属する画素電極１０２に対し、偶数番目のフレームを形成する表示データを出力し、表示させる。そして、コントローラ４２１は、オン状態となったＴＦＴ１０５に接続された画素グループＢに属する画素電極１０２に対し、奇数番目のフレームを形成する表示データを出力し、表示させる。
【００６９】
尚本実施形態では画素電極１０２を走査線１０６単位でグループに分割したが、分割の仕方はこれに限定されるものではなく、例えば信号線１０７単位でグループに分割されても良いし、走査線１０６や信号線１０７を単位とせずに、各グループに属する画素電極を散在させても良い。
【００７０】
図８には、画素電極１０２を２つの画素グループに分割する他の例を示す図である。例えば表示部４１０において画素電極１０２は、図８（Ａ）に示すように、画素グループＡに属する画素電極と、画素グループＢに属する画素電極が格子状となるような分割しても良い。また表示部４１０において画素電極１０２は、図８（Ｂ）に示すように、画素グループＡと画素グループＢが表示部４１０の左右に分かれるように分割しても良い。このような画素電極１０２の分割の仕方は、設定部４２５により設定されても良い。
【００７１】
また、本実施形態の表示装置４００では、各画素グループに属する画素電極１０２に表示させる表示データを出力するタイミングを制御することにより、各画素グループに表示される二つのフレームの表示を開始するタイミングを独立して制御することができる。
【００７２】
そこで、本実施形態の表示装置４００では、第一の画素グループである画素グループＡにおいてフレームの表示が完了する前に、第二の画素グループである画素グループＢにおいて他のフレームの表示を開始させる。係る構成によれば、表示部４１０において複数のフレームを順次切り換えて表示させる場合に、最初のフレームを表示してから最後のフレームの表示が完了をするまでの表示切換時間を短縮することができる。尚、以下の説明では、表示部４１０において最初のフレームから最後のフレームまで、順次切り換えて表示させる処理を、順次表示切換処理と呼ぶ。
【００７３】
以下に図９乃至図１１を参照して表示部４１０における複数フレームの順次表示切換処理について説明する。
【００７４】
図９は、表示部４１０に表示される複数のフレームの例を示す図である。図１０は、二つの画素グループにおいて、それぞれに表示されるフレームのパターンを説明するタイミングチャートである。図１１は、図１０のタイミングチャートに対応させた走査線、信号線への入力信号及び表示部の表示状態を説明する図である。
【００７５】
ここで、図１０に示すＦｘは、表示部４１０において順次表示される複数のフレーム（図９参照）のうち、ｘ番目に表示される第ｘフレームを示している。
【００７６】
また、Ｆ０は表示部４１０において順次表示切換処理を開始する前の初期状態において表示される初期フレーム（最初のフレーム）であり、Ｆ７はフレームの表示切換を終了するときに表示させたい目標とされる目標フレーム（最後のフレーム）である。ここで、Ｆ７のように、そのフレームにおいて表示切り換えを終了させるフレームを目標フレームと呼ぶ。
【００７７】
表示装置４００では、図１０に示す時点Ｐ０において表示切換の指示を受け付けると、表示部４１０において表示されたフレームＦ０から次のフレームであるＦ１へ表示切換処理を開始する。
【００７８】
本実施形態では、画素グループＡには初期フレームＦ０と目標フレームＦ７の他に、ｘが偶数となるフレームが表示されるものとし、画素グループＢには初期フレームＦ０と目標フレームＦ７の他に、ｘが奇数となるフレームが表示されるものとした。表示部４１０では、走査のタイミングに基づき、各画素グループに属する画素電極に電圧を印加するタイミングに時間差を設けている。画素電極に電圧が印加されるタイミングがずれると、各画素電極ごとに、各画素電極の有する白色泳動素子と黒色泳動素子が移動を開始するタイミングがずれる。よって、各画素電極において、白色泳動素子と黒色泳動素子の移動が完了し、表示データの表示が完了するタイミングもずれることとなる。本実施形態の表示装置４００では、このタイミングのずれを利用し、画素グループＡにフレームのパターンが表示されるタイミングと画素グループＢにフレームのパターンが表示されるタイミングを互い違いにすることにより、Ｆ０を表示してからＦ７の表示が完了をするまでの表示切換時間を短縮する。
【００７９】
表示装置４００は、図１０に示す時点Ｐ０において表示切換指示を受け付けると、図１１に示す走査時間４０２における走査により、表示切換の動作を開始する。
【００８０】
以下に時点Ｐ０における表示状態について説明する。
【００８１】
時点Ｐ０での表示部４１０の表示状態は、初期フレームＦ０が表示された状態となっている。この時点での表示状態をＳ０として図１１に示す。表示部４１０は、この初期フレームＦ０をＦ１へ切り換える動作を開始する。ここで、Ｆ０の次のフレームＦ１は画素グループＢにおいて表示されるので、時点Ｐ０では画素グループＢにおいて表示されるフレームのみが切換られる。
【００８２】
画素グループＢでは、表示切換が開始されると、図１１に示すように走査期間３０２の走査において、画素グループＢに属する各画素電極にＦ１のパターンを形成する表示データが入力される。そして画素フレームＢにおいてＦ１のパターンの表示が開始される。この走査期間３０２の走査では、画素グループＡにおいて表示されるフレームの切換はまだ開始されない。よって走査期間３０２の走査では、画素グループＡには初期フレームＦ０のパターンを形成する表示データが継続して入力される。
【００８３】
次に時点Ｐ１における表示部４１０の表示状態について説明する。
【００８４】
時点Ｐ１での表示部４１０の表示状態をＳ１として図１１に示す。時点Ｐ１における画素グループＡでは、フレームＦ０のパターンの次に表示されるフレームであるＦ２のパターンを表示すべく表示切換が開始される。また時点Ｐ１における画素グループＢでもＦ０のパターンからＦ１のパターンへの表示切換中である。よって、表示部４１０では、いずれのフレームも視認できない状態となっている。
【００８５】
次に、時点Ｐ２における表示状態について説明する。
【００８６】
時点Ｐ２での表示部４１０の表示状態をＳ２とし、図１１に示す。時点Ｐ２における画素グループＡでは、Ｆ０のパターンからＦ２のパターンへの表示切換中であり、いずれのフレームも視認可能に表示されていない。時点Ｐ２における画素グループＢでは、Ｆ０のパターンからＦ１のパターンへの表示切換が完了し、Ｆ１のパターンが視認可能に表示されている。
【００８７】
よって、表示部４１０では、Ｆ１が視認可能な状態で表示された状態となる。すなわち、時点Ｐ２で、表示部４１０における初期フレームＦ０のパターンから次のフレームＦ１のパターンへの表示切換が完了する。ここで、Ｆ０のパターンからＦ１のパターンへの表示切換に係る表示切換時間をＴａとする。またこのとき、表示部４１０では画素グループＢに表示されたＦ１の背景に、画素グループＡにおける表示切換により生じる多少の残像が表示されることが予測されるが、この残像はＦ１の視認性を阻害しない程度のものである。
【００８８】
次に、時点Ｐ３における表示部４１０の表示状態について説明する。
【００８９】
時点Ｐ３での表示部４１０の表示状態をＳ３とし、図１１に示す。時点Ｐ３における画素グループＡでは、時点Ｐ１から開始したＦ０のパターンからＦ２のパターンへの表示切換が完了し、Ｆ２のパターンが視認可能に表示されている。時点Ｐ３における画素グループＢでは、時点Ｐ２より開始されたＦ１のパターンからＦ３のパターンへの表示切換中であるから、いずれのフレームも視認可能に表示されていない。
【００９０】
よって、表示部４１０では、Ｆ２が視認可能な状態で表示された状態となる。すなわち、時点Ｐ３で、表示部４１０における初期フレームＦ１のパターンから次のフレームＦ２のパターンへの表示切換が完了する。ここで、Ｆ１のパターンからＦ２のパターンへの表示切換に係る表示切換時間をＴｂとする。
【００９１】
次に、時点Ｐ４における表示部４１０の表示状態について説明する。
【００９２】
時点Ｐ４での画素グループＡ、は時点Ｐ３から開始したＦ２のパターンからＦ４のパターンへの表示切換中であり、いずれのフレームも視認可能に表示されていない。時点Ｐ４での画素グループＢは、時点Ｐ２から開始したＦ１のパターンからＦ３のパターンへの表示切換が完了し、Ｆ３のパターンが視認可能に表示されている。
【００９３】
よって、表示部４１０では、Ｆ３が視認可能な状態で表示された状態となる。すなわち、時点Ｐ４で、表示部４１０におけるフレームＦ２から次のフレームＦ３への表示切換が完了する。
【００９４】
ここで、図１０から明らかなように、表示切換時間Ｔａと表示切換時間Ｔｂを比較すると、表示切換時間Ｔｂは表示切換時間Ｔａの約半分の長さとなる。表示切換時間Ｔａは、画素パターン切換時間に該当するものであり、従来の表示装置１００における表示切換時間である。
【００９５】
以上に説明したように、本実施形態の表示装置４００では、初期フレームから次のフレームへの表示切換を除き、それ以降の１フレーム毎の表示切換時間を従来の表示装置１００の約半分の長さに短縮している。よって、表示装置４００では、フレーム表示切換にかかる時間を短くし、複数ページを順次切り換えて目標フレームを表示させるまでの全体の表示切換時間を大幅に短縮することができる。
【００９６】
さらに本実施形態の表示装置４００では、フレーム表示切換にかかる時間を調整することにより、より迅速に目標フレームを表示させることができる。以下にフレーム表示切換にかかる時間の調整について説明する。
【００９７】
本実施形態の表示装置４００におけるフレームの表示切換時間は、画素グループの数に依存する。以下に、例えば本実施形態の表示装置４００において、画素電極１０２が３つの画素グループに分割された場合のフレームの表示切換時間について説明する。ここで画素電極１０２は、図１２に示すように画素グループＡ、画素グループＢ、画素グループＣの３つに分割されるものとした。図１２は、第一の実施形態の表示部４１０において、画素電極１０２が３つの画素グループに分割された場合を示す図である。
【００９８】
以下に図１３、図１４を参照して、表示部４１０において画素電極１０２が３つの画素グループに分割された場合の表示について説明する。図１３は、３つの画素グループにおいて、それぞれ順次表示するフレームのパターンを説明するタイミングチャートである。図１４は、図１３のタイミングチャートに対応させた走査線、信号線への入力信号及び表示部の表示状態を示す図である。
【００９９】
以下に時点Ｑ０における表示状態について説明する。
【０１００】
時点Ｑ０での表示部４１０Ａの表示状態は、初期フレームＦ０が表示された状態となっている。表示部４１０Ａは、この初期フレームＦ０をＦ１へ切り換える動作を開始する。ここで、Ｆ０の次のフレームＦ１は画素グループＢにおいて表示されるので、時点Ｑ０では画素グループＢにおいて表示されるフレームのパターンのみが切換られる。
【０１０１】
画素グループＢでは、表示切換が開始されると、図１４に示すように走査期間６０２の走査において、画素グループＢに属する各画素電極にＦ１のパターンを形成する表示データが入力される。そして、画素フレームＢにおいてＦ１の表示が開始される。この走査期間６０２の走査では、画素グループＡ、画素グループＣにおいて表示されるフレームの切換はまだ開始されない。よって走査期間６０２の走査では、画素グループＡ、画素グループＣには初期フレームＦ０のパターンを形成する表示データが継続して入力される。
【０１０２】
次に時点Ｑ１における表示部４１０Ａの表示状態について説明する。
【０１０３】
時点Ｑ１における画素グループＡでは、フレームＦ０のパターンの次に表示されるフレームであるＦ３のパターンを表示すべく表示切換中である。よって、画素グループＡにはいずれのフレームも視認可能に表示されていない。また、時点Ｑ１での画素グループＣでも、初期フレームＦ０のパターンの次に表示されるフレームであるＦ２のパターンを示すべく表示切換中である。よって、画素グループＣにはいずれのフレームも視認可能に表示されていない。
【０１０４】
これに対し、時点Ｑ１における画素グループＢでは、Ｆ０のパターンから画素グループＢにおいて次に表示されるＦ１のパターンへの表示切換が完了し、Ｆ１のパターンが視認可能に表示されている。
【０１０５】
よって、表示部４１０Ａでは、Ｆ１が視認可能な状態で表示された状態となる。すなわち、時点Ｑ１で、表示部４１０Ａにおける初期フレームＦ０のパターンから次のフレームＦ１のパターンへの表示切換が完了する。ここで、Ｆ０のパターンからＦ１のパターンへの表示切換に係る表示切換時間をＴ２ａとする。またこのとき、表示部４１０Ａでは画素グループＢに表示されたＦ１の背景に、画素グループＡ及び画素グループＣにおける表示切換により生じる多少の残像が表示されることが予測されるが、この残像はＦ１の視認性を阻害しない程度のものである。
【０１０６】
次に、時点Ｑ２における表示状態について説明する。
【０１０７】
時点Ｑ２での画素グループＡでは、フレームＦ０のパターンの次に表示されるフレームであるＦ３のパターンを表示すべく表示切換中である。よって、画素グループＡにはいずれのフレームも視認可能に表示されていない。また、時点Ｑ２での画素グループＢでは、Ｆ１のパターンの次に示されるフレームであるＦ４のパターンを表示すべく表示切換中である。よって、画素グループＢにはいずれのフレームも視認可能に表示されていない。
【０１０８】
これに対し、時点Ｑ２での画素グループＣでは、Ｆ０のパターンから、画素グループＣにおいて次に表示されるＦ２のパターンへの表示切換が完了し、Ｆ２のパターンが視認可能に表示されている。
【０１０９】
よって、表示部４１０Ａでは、Ｆ２が視認可能な状態で表示された状態となる。すなわち、時点Ｑ２で、表示部４１０ＡにおけるＦ１のパターンから次のフレームＦ２のパターンへの表示切換が完了する。ここで、Ｆ１のパターンからＦ２のパターンへの表示切換に係る表示切換時間をＴ２ｂとする。
【０１１０】
次に、時点Ｑ３における表示状態について説明する。
【０１１１】
時点Ｑ３での画素グループＢでは、フレームＦ１のパターンの次に画素グループＢに表示されるフレームであるＦ４のパターンを表示すべく表示切換中である。よって、画素グループＢにはいずれのフレームも視認可能に表示されていない。また、時点Ｑ３での画素グループＣでは、Ｆ２のパターンの次に画素グループＣに表示されるフレームであるＦ５のパターンを表示すべく表示切換中である。よって、画素グループＣにはいずれのフレームも視認可能に表示されていない。
【０１１２】
これに対し、時点Ｑ３での画素グループＡでは、Ｆ０のパターンから、画素グループＡにおいて次に表示されるＦ３のパターンへの表示切換が完了し、Ｆ３のパターンが視認可能に表示されている。
【０１１３】
よって、表示部４１０Ａでは、Ｆ３が視認可能な状態で表示された状態となる。すなわち、時点Ｑ３で、表示部４１０ＡにおいてＦ２のパターンから次のフレームＦ３のパターンへの表示切換が完了する。
【０１１４】
ここで、表示切換時間Ｔ２ａと表示切換時間Ｔ２ｂを比較すると、表示切換時間Ｔ２ｂは表示切換時間Ｔ２ａの約１／３の長さとなることがわかる。表示切換時間Ｔ２ａは、画素パターン切換時間に該当するものであり、従来の表示装置１００における表示切換時間である。
【０１１５】
すなわち本実施形態の表示装置４００では、画素電極１０２を３つの画素グループに分割することにより、初期フレームから次のフレームへの表示切換を除き、それ以降の１フレーム毎の表示切換時間を従来の表示装置１００の約１／３の長さに短縮する。
【０１１６】
よって本実施形態の表示装置４００では、画素グループの数を２から３へ増やすことによりフレームの表示切換時間を、従来の表示装置の表示切換時間の約半分から約１／３へ短縮することができる。このことから、本実施形態の表示装置４００において、フレームの表示切換時間を変更して調整したい場合は、画素グループの数を変更すれば良い。特に本実施形態の表示装置４００において、表示切換の速度を速くし、表示切換時間を短縮したい場合には、画素グループの数を増やせば良いことがわかる。
【０１１７】
このような表示装置において、長時間表示切換処理が継続されている場合とは、ユーザの所望するページに到達するまでに多数のページをめくる必要がある場合である。よって、所定時間以上表示切換処理が継続されている場合に、自動的に表示切換の速度を早めて表示切換時間を短縮すれば、迅速にユーザの所望するページを探しあてることができる。
【０１１８】
そこで、本実施形態の表示装置４００では、順次表示切換処理が開始されてから、所定の時間経過しても目標フレームに到達しない場合に、画素グループの数を変更して表示切換時間を短縮するものとした。尚ここで、本実施形態の表示装置４００では、ユーザにより操作部４２７により表示切換処理の停止指示をうけたときのフレームを目標フレームとする構成とした。
【０１１９】
本実施形態の表示装置４００では、順次表示切換処理が開始されてから画素グループの数が変更されるまでの時間が予め設定されて保持されている。この時間に係る設定は、例えばメモリ４２２や、図示しない別の記憶手段などに格納されて保持されていても良い。表示装置４００では、コントローラ４２１が、表示装置４００に備えられた時計機能により順次表示切換処理が開始されてからの経過時間を計測する。そしてコントローラ４２１は、予め設定された所定時間以上経過しても、順次表示切換処理の停止指示を受け付けない場合に、変更部４２６により画素グループの数を変更する。
【０１２０】
ここで変更部４２６について説明する。変更部４２６は、コントローラ４２１の有する画素グループ数の変更機能を実現するものである。変更部４２６は、画素グループの数を、表示部４１０において現在設定されている値から、変更後の画素グループの数として設定部４２５により設定されて保持されている値へ変更する。変更部４２６により画素グループの数が変更されると、コントローラ４２１は各部材へ対し画素グループ数の変更に必要な制御を行う。ここで、変更後の画素グループの数として設定部４２５により設定された値は、例えばメモリ４２２や、図示しない別の記憶手段などに格納されて保持されていても良い。
【０１２１】
以下に図１５を参照して、画素グループの数の変更の処理について説明する。図１５は、第一の実施形態の表示装置４００において画素グループの数を変更する動作を説明するフローチャートである。図１５に示す例では、表示部４１０における画素グループの数は２に設定されているものとした。
【０１２２】
本実施形態の表示装置４００では、ユーザによる操作部４２７からの表示切換処理の開始指示を受け付けて、順次表示切換処理を開始する（Ｓ１５０１）。ここでコントローラ４２１は、処理が開始された時点で表示部４１０に表示されていた初期フレームを、Ｎ番目のフレームを意味する第Ｎフレームとし（Ｓ１５０２）、メモリ４２２よりこの第Ｎフレームのフレーム情報を読み出す。ここで読み出されるフレーム情報は、例えば第Ｎフレームが、複数のフレームのうち何番目のフレームであるかを示す識別情報などである。
【０１２３】
次にコントローラ４２１は、画素グループの数を変更するか否かを判断するための時間に係る情報を読み出して設定する（Ｓ１５０３）。この時間に係る情報は、コントローラ４２１が画素グループの数を変更するか否かを判断する基準となる変更基準時間であり、設定部４２５により設定されて、図示しない記憶手段などに保持されていても良い。またこの時間に係る情報は、順次表示切換処理の開始時に、その都度ユーザにより操作部４２７を用いて入力されても良い。そしてコントローラ４２１は、予め設定された画素グループの数を２として順次表示切換処理を開始する（Ｓ１５０４）。尚以下の説明では、２つの画素グループを画素グループＡ、画素グループＢと呼ぶ。
【０１２４】
次にコントローラ４２１は、画素グループＡに属する画素電極に、Ｎフレームのパターンを表示させ、画素グループＢに属する画素電極に第（Ｎ＋１）フレームのパターンを表示させるべく、走査線１０６及び信号線１０７へ信号を印加する（Ｓ１５０５）。すなわち、ＴＦＴ１０５がオンになっている走査線１０６上に位置する画素電極１０２が画素グループＡに属する画素電極の場合は、信号線１０７に第Ｎフレームの表示データ信号を印加する。そして、ＴＦＴ１０５がオンになっている走査線１０６上に位置する画素電極１０２が画素グループＢに属する画素電極の場合は、信号線１０７に第（Ｎ＋１）フレームの表示データ信号を印加する。
【０１２５】
次にコントローラ４２１は、第（Ｎ＋１）フレームが目標フレームであるか否かを判定する（Ｓ１５０６）。尚本実施形態では、コントローラ４２１は、操作部４２７からの順次表示切換処理の実行命令信号が途絶えた時に表示されていたフレームを目標フレームと判定する。この判定は、ある走査が終わってから、次の走査が始まるまでの間に実行される。
【０１２６】
Ｓ１５０６において、第（Ｎ＋１）フレームが目標フレームであった場合、コントローラ４２１は、画素グループＡ及び画素グループＢの両方に第（Ｎ＋１）フレームのパターンを表示させるべく、走査線１０６と信号線１０７へ信号を印加する（Ｓ１５０７）。そしてコントローラ４２１は順次表示切換処理を終了する（Ｓ１５０８）。
【０１２７】
Ｓ１５０６において、第（Ｎ＋１）フレームが目標フレームでなかった場合、コントローラ４２１は、順次表示切換処理が開始されてからＳ１５０６の時点までに経過した時間、すなわち順次表示切換処理の継続時間と、Ｓ１５０３において設定された変更基準時間とを比較する（Ｓ１５０９）。そしてコントローラ４２１は、順次表示切換の継続時間が変更基準時間よりも長かった場合、（Ｎ＝Ｎ＋１）とし（Ｓ１５１０）、変更部４２６により画素グループの数を変更させる。ここで本実施形態では、変更後の画素グループの数を３とした（Ｓ１５１１）。尚画素グループの数を変更した後の処理についての詳細は、別途図面を参照して説明する。
【０１２８】
Ｓ１５０９において順次表示切換の継続時間が変更基準時間よりも短かった場合、コントローラ４２１は、画素グループＡに第（Ｎ＋２）フレームのパターンを表示させ、画素グループＢに第（Ｎ＋１）フレームのパターンを表示させるべく、走査線１０６と信号線１０７に信号を印加する（Ｓ１５１２）。
【０１２９】
次にコントローラ４２１は、第（Ｎ＋２）フレームが目標フレームであるか否かを判定する（Ｓ１５１３）。Ｓ１５１２において、第（Ｎ＋２）フレームが目標フレームであった場合、コントローラ４２１は、画素グループＡ及び画素グループＢの両方に第（Ｎ＋２）フレームのパターンを表示させるべく、走査線１０６と信号線１０７へ信号を印加し（Ｓ１５１４）、表示切換処理を終了する（Ｓ１５０８）。
【０１３０】
Ｓ１５１３において、第（Ｎ＋２）フレームが目標フレームでなかった場合、コントローラ４２１は、順次表示切換処理が開始されてからＳ１５１２の時点までに経過した時間、すなわち順次表示切換処理の継続時間と、Ｓ１５０３において設定された変更基準時間とを比較する（Ｓ１５１５）。
【０１３１】
そしてコントローラ４２１は、順次表示切換の継続時間が変更基準時間よりも長かった場合、（Ｎ＝Ｎ＋２）とし（Ｓ１５１６）、変更部４２６により画素グループの数を変更させる（Ｓ１５１１）。
【０１３２】
Ｓ１５１５において、第（Ｎ＋２）フレームが目標フレームでなかった場合、コントローラ４２１は、画素グループＡに第（Ｎ＋２）フレームのパターンを表示させ、画素グループＢに第（Ｎ＋３）フレームのパターンを表示させるべく、走査線１０６と信号線１０７に信号を印加する（Ｓ１５１７）。コントローラ４２１は、この処理を、目標フレームが出現するか、または順次表示切換の継続時間が変更基準時間よりも長くなるかのいずれか一方となるまで、Ｓ１５０５からＳ１５１７の処理を繰り返す。
【０１３３】
次に、図１６を参照して画素グループの数が３に変更された場合の表示装置４００の動作を説明する。図１６は、第一の実施形態の表示装置４００において画素グループの数が変更された後の動作を説明するフローチャートである。図１６に示す例では、３つの各画素グループを画素グループＣ、画素グループＤ、画素グループＥとして説明する。
【０１３４】
表示装置４００において、画素グループの数が３つに変更されると（Ｓ１６０１）、コントローラ４２１は、画素グループＣに属する画素電極に第Ｎフレームのパターンを表示させ、画素グループＤに属する画素電極に第（Ｎ＋１）フレームのパターンを表示させ、画素グループＥに属する画素電極に第（Ｎ＋２）フレームのパターンを表示させるべく、走査線１０６及び信号線１０７に信号を印加する（Ｓ１６０２）。すなわち、ＴＦＴ１０５がオンになっている走査線上に位置する画素電極１０２が、画素グループＣに属する画素電極の場合は、信号線１０７に第Ｎフレームの表示データ信号を印加する。そして、ＴＦＴ１０５がオンになっている走査線上に位置する画素電極１０２が、画素グループＤに属する画素電極の場合は、信号線１０７に第（Ｎ＋１）フレームの表示データ信号を印加する。さらに、ＴＦＴ１０５がオンになっている走査線上に位置する画素電極１０２が、画素グループＥに属する画素電極の場合は、信号線１０７に第（Ｎ＋２）フレームの表示データ信号を印加する。
【０１３５】
次に、コントローラ４２１は、第（Ｎ＋１）フレームが目標フレームであるか否かを判定する（Ｓ１６０３）。第（Ｎ＋１）フレームが目標フレームであった場合、コントローラ４２１は、画素グループＣ、画素グループＤ及び画素グループＥの全てに第（Ｎ＋１）フレームのパターンを表示させるべく、走査線１０６と信号線１０７へ信号を印加する（Ｓ１６０４）。そして、表示部４１０に第（Ｎ＋１）フレームを表示させ、表示切換処理を終了する（Ｓ１６０５）。
【０１３６】
Ｓ１６０３において、第（Ｎ＋１）フレームが目標フレームでなかった場合、コントローラ４２１は、画素グループＣに第Ｎフレームのパターンを表示させ、画素グループＤに第（Ｎ＋１）フレームのパターンを表示させ、画素グループＥに第（Ｎ＋２）フレームのパターンを表示させるべく、走査線１０６と信号線１０７に信号を印加する（Ｓ１６０６）。
【０１３７】
次にコントローラ４２１は、第（Ｎ＋２）フレームが目標フレームであるか否かを判定する（Ｓ１６０７）。Ｓ１６０７において、第（Ｎ＋２）フレームが目標フレームであった場合、コントローラ４２１は、画素グループＣ、画素グループＤ及び画素グループＥの全てに第（Ｎ＋２）フレームのパターンを表示させるべく、走査線１０６と信号線１０７へ信号を印加する（Ｓ１６０８）。そして、表示部４１０に第（Ｎ＋２）フレームを表示させ、表示切換処理を終了する（Ｓ１６０５）。
【０１３８】
Ｓ１６０７において、第（Ｎ＋２）フレームが目標フレームでなかった場合、コントローラ４２１は、画素グループＣに第（Ｎ＋３）フレームのパターンを表示させ、画素グループＤに第（Ｎ＋１）フレームのパターンを表示させ、画素グループＥに第（Ｎ＋２）フレームのパターンを表示させるべく、走査線１０６と信号線１０７に信号を印加する（Ｓ１６０９）。
【０１３９】
次にコントローラ４２１は、第（Ｎ＋３）フレームが目標フレームであるか否かを判定する（Ｓ１６１０）。Ｓ１６１０において、第（Ｎ＋３）フレームが目標フレームであった場合、コントローラ４２１は、画素グループＣ、画素グループＤ及び画素グループＥの全てに第（Ｎ＋３）フレームのパターンを表示させるべく、走査線１０６と信号線１０７へ信号を印加する（Ｓ１６１１）。そして、表示部４１０Ａに第（Ｎ＋３）フレームを表示させ、表示切換処理を終了する（Ｓ１６０５）。
【０１４０】
Ｓ１６１０において、第（Ｎ＋３）フレームが目標フレームでなかった場合、コントローラ４２１は、画素グループＣに第（Ｎ＋３）フレームのパターンを表示させ、画素グループＤに第（Ｎ＋４）フレームのパターンを表示させ、画素グループＥに第（Ｎ＋２）フレームのパターンを表示させるべく、走査線１０６と信号線１０７に信号を印加する（Ｓ１６１２）。
【０１４１】
以下、表示装置４００では表示部４１０において目標フレームが出現するまでＳ１６０２からＳ１６１２までの処理を繰り返す。
【０１４２】
以上に説明したように、本実施形態の表示装置４００では、順次表示切換処理が開始されてか、所定時間である変更基準時間経過した場合には、画素グループの数を変更する。ここで、変更後の画素グループの数を、変更前の画素グループの数よりも大きい値とすれば、表示部４１０におけるフレームの表示切換の速度を早くすることができる。よって本実施形態の表示装置４００では、画素グループの数を変更することにより所望のフレーム（ページ）を表示させるまでの時間を短縮し、迅速に所望のフレームを表示させることができる。
【０１４３】
また、本実施形態の表示装置４００では、例えば変更後の画素グループの数を、変更前の画素グループの数よりも小さい値とすることにより表示切換の速度を遅くすることもできる。よって、本実施形態の表示装置４００では、画素グループの数を変更することによりフレームの表示切換の速度をユーザの使用形態に合わせて調整することができ、表示装置４００の操作性を向上させることができる。
【０１４４】
尚本実施形態では、図１５のＳ１５０３において画素グループの数を変更する基準を所定時間情報としたが、この基準を表示された所定フレーム数としても良い。この場合には、表示装置４００には、表示部４１０に表示されたフレーム数をカウントするカウンタ機能が備えられていることが好ましい。このカウンタ機能は、例えばコントローラ４２１が実現しても良い。
【０１４５】
画素グループの数を変更する基準を所定フレーム数とした場合について、以下に説明する。画素グループの数の変更基準を所定フレーム数とする場合、コントローラ４２１は、図１５のＳ１５０３において、変更基準時間の代わりに、変更基準フレーム数を設定する。
【０１４６】
そしてコントローラ４２１は、Ｓ１５０９において、順次表示切換処理が開始された後、表示部４１０に表示されたフレーム数が、変更基準フレーム数に達しているか否かを判定する。そして、順次表示切換処理が開始されてから表示部４１０に表示されたフレーム数が変更基準フレーム数に達していた場合に、画素グループの数を変更する処理へ移行すれば良い。
【０１４７】
このようにすれば、本実施形態において、変更基準時間に基づき画素グループの数を変更する場合と同様の効果を得ることができる。
（第二の実施形態）
以下に図面を参照して、本発明の第二の実施形態について説明する。
【０１４８】
第二の実施形態の表示装置では、第一の実施形態において画素グループの数を変更するに対し、表示装置４００において表示される総フレーム数に対する各画素グループで表示されるフレーム数の比率を変更する点で、第一の実施形態と相違する。よって、以下の本実施形態の説明では第一の実施形態との相違点のみを説明し、第一の実施形態と同様の機能構成を有するものに対しては、第一の実施形態の説明で使用した符号と同様の符号を付与し、その説明を省略する。
【０１４９】
本実施形態の表示装置４００では、コントローラ４２１の変更部４２６により、表示部４１０に表示される総フレーム数に対する各画素グループで表示されるフレーム数の比率を変更することで、表示部４１０におけるフレームの表示切換の速度を調整する。尚、以下の本実施形態の説明において、表示部４１０に表示される総フレーム数に対する各画素グループで表示されるフレーム数の比率を単に「比率」と呼ぶ。
【０１５０】
以下に、表示装置４００において比率を変更した場合の表示切換の速度について説明する。
【０１５１】
例えば、第一の実施形態で説明したように、画素電極１０２が３つの画素グループに分割されており、各画素グループに異なるフレームが表示される設定となっていた場合、フレーム毎の表示切換の速度は従来の表示装置の約１／３である。この場合、例えば表示装置４００において表示される総フレーム数を３０フレームとしたとき、各画素グループに表示されるフレーム数は１０フレームである。よって、この場合の比率は１／３となる。
【０１５２】
これに対し、画素電極１０２を３つの画素グループに分割し、３つの画素グループのうち２つの画素グループに同時に同じフレームを表示させる場合について考える。この場合、表示装置４００において表示される総フレーム数を３０フレームとすると、各画素グループに表示されるフレーム数は２０フレームであるから、比率は２／３となる。以下にこの比率２／３の場合の表示切換の速度について説明する。
【０１５３】
図１７は、第二の実施形態において比率２／３の場合であるときの表示切換の速度を説明するタイミングチャートである。
【０１５４】
以下に時点Ｒ０における表示状態について説明する。
【０１５５】
時点Ｒ０での表示部４１０の表示状態は、初期フレームＦ０が表示された状態となっている。表示部４１０は、この初期フレームＦ０をＦ１へ切り換える動作を開始する。ここで、Ｆ０の次のフレームＦ１は画素グループＢにおいて表示されるので、時点Ｒ０では画素グループＢにおいて表示されるフレームのパターンのみが切換えられる。
【０１５６】
次に時点Ｒ１における表示部４１０の表示状態について説明する。
【０１５７】
時点Ｒ１での画素グループＡでは、フレームＦ０のパターンの次に表示されるフレームであるＦ２のパターンを表示すべく表示切換中である。よって、画素グループＡにはいずれのフレームも視認可能に表示されていない。また、時点Ｒ１での画素グループＣでは、初期フレームＦ０のパターンの次に表示されるフレームであるＦ１のパターンを表示すべく表示切換中である。
【０１５８】
これに対し、時点Ｒ１での画素グループＢでは、Ｆ０のパターンから画素グループＢにおいて次に表示されるＦ１のパターンへの表示切換が完了し、Ｆ１のパターンが視認可能に表示されている。よって、表示部４１０では、Ｆ１が視認可能な状態で表示された状態となる。すなわち、時点Ｒ１で、表示部４１０における初期フレームＦ０のパターンから次のフレームＦ１のパターンへの表示切換が完了する。
【０１５９】
本実施形態では、時点Ｒ１において画素グループＢではＦ１のパターンが表示され、画素グループＣではＦ１のパターンが表示されようとしている。よって、三つの画素グループそれぞれが異なるフレームのパターンを表示する図１３に示す例と比較すると、表示部４１０においてフレームＦ１のパターンが表示される画素電極の数が多い。
【０１６０】
よって、本実施形態において時点Ｒ１で表示部４１０に視認可能に表示されたＦ１のパターンは、図１３に示す例の時点Ｑ１で表示されたＦ１のパターンよりも視認性を高くすることができる。
【０１６１】
ここで、Ｆ０のパターンからＦ１のパターンへの表示切換に係る表示切換時間をＴ３ａとする。またこのとき、表示部４１０では画素グループＢに表示されたＦ１の背景に、画素グループにおける表示切換により生じる多少の残像が表示されることが予測されるが、この残像はＦ１のパターンの視認性を阻害しない程度のものである。
【０１６２】
次に、時点Ｒ２における表示状態について説明する。
【０１６３】
時点Ｒ２での画素グループＢでは、フレームＦ１のパターンの次に表示されるフレームであるＦ２のパターンを表示すべく表示切換中である。よって、画素グループＢにはいずれのフレームも視認可能に表示されていない。また、時点Ｒ２での画素グループＣでは、Ｆ１のパターンの次に示されるフレームであるＦ３のパターンを表示すべく表示切換中である。よって、画素グループＣにはいずれのフレームも視認可能に表示されていない。
【０１６４】
これに対し、時点Ｒ２での画素グループＡでは、Ｆ０のパターンから、画素グループＡにおいて次に表示されるＦ２のパターンへの表示切換が完了し、Ｆ２のパターンが視認可能に表示されている。
【０１６５】
よって時点Ｒ２では、画素グループＡにＦ２のパターンが表示され、画素グループＢではＦ２のパターンが表示されようとしている。よって、時点Ｒ２においても時点Ｒ１と同様に、三つの画素グループそれぞれが異なるフレームのパターンを表示する図１３に示す例と比較すると、表示部４１０ＡにおいてフレームＦ２のパターンが表示される画素電極の数が多い。
【０１６６】
このため、時点Ｒ２で表示部４１０Ａに視認可能に表示されたＦ２のパターンは、図１３に示す例の時点Ｑ２で表示されたＦ２のパターンよりも視認性を高くすることができる。ここで、Ｆ１のパターンからＦ２のパターンへの表示切換に係る表示切換時間をＴ３ｂとする。
【０１６７】
次に、時点Ｒ３における表示状態について説明する。
【０１６８】
時点Ｒ３での画素グループＡでは、フレームＦ２のパターンの次に表示されるフレームであるＦ３のパターンを表示すべく表示切換中である。よって、画素グループＡにはいずれのフレームも視認可能に表示されていない。また、時点Ｒ３での画素グループＢでは、Ｆ２のパターンの次に示されるフレームであるＦ４のパターンを表示すべく表示切換中である。よって、画素グループＢにはいずれのフレームも視認可能に表示されていない。
【０１６９】
これに対し、時点Ｒ３での画素グループＣでは、Ｆ１のパターンから、画素グループＣにおいて次に表示されるＦ３のパターンへの表示切換が完了し、Ｆ３のパターンが視認可能に表示されている。
【０１７０】
よって時点Ｒ３では、画素グループＣにＦ３のパターンが表示され、画素グループＡではＦ３のパターンが表示されようとしている。すなわち、時点Ｒ３においても時点Ｒ１と同様に、三つの画素グループそれぞれが異なるフレームのパターンを表示する図１３に示す例と比較すると、表示部４１０ＡにおいてフレームＦ３のパターンが表示される画素電極の数が多い。
【０１７１】
このため、時点Ｒ３で表示部４１０Ａに視認可能に表示されたＦ３のパターンは、実施形態２の時点Ｑ３で表示されたＦ３のパターンよりも視認性を高くすることができる。ここで、Ｆ２のパターンからＦ３のパターンへの表示切換に係る表示切換時間もＴ３ｂとする。
【０１７２】
ここで、表示切換時間Ｔ３ａと表示切換時間Ｔ３ｂを比較すると、表示切換時間Ｔ３ｂは表示切換時間Ｔ３ａの約２／３の長さとなる。表示切換時間Ｔ３ａは、画素パターン切換時間に該当するものであり、従来の表示装置１００における表示切換時間である。
【０１７３】
すなわち本実施形態では、初期フレームから次のフレームへの表示切換を除き、それ以降の１フレーム毎の表示切換時間を従来の表示装置１００の約２／３の長さに短縮する。本実施形態の表示切換時間は、図１３に示す例の表示切換時間と比較して長い時間となるが、本実施形態では表示されるフレームのパターンの視認性を向上させることができる。
【０１７４】
このように、本実施形態の表示装置では、比率を変更することにより表示切換の速度を調整することができる。そこで本実施形態では、この比率を変更することにより表示切換の速度を調整する。
【０１７５】
以下に図１８を参照して、比率の変更の処理について説明する。図１８は、第二の実施形態の表示装置４００において比率を変更する動作を説明するフローチャートである。図１８に示す例では、表示部４１０において画素電極１０２は３つの画素グループに分割されており、比率は２／３に設定されているものとした。またここで分割された３つの画素グループを、画素グループＡ、画素グループＢ、画素グループＣと呼ぶ。
【０１７６】
本実施形態の表示装置４００では、ユーザによる操作部４２７からの表示切換処理の開始指示を受け付けて、順次表示切換処理を開始する（Ｓ１８０１）。ここでコントローラ４２１は、処理が開始された時点で表示部４１０に表示されていた初期フレームを、Ｎ番目のフレームを意味する第Ｎフレームとし（Ｓ１８０２）、メモリ４２２よりこの第Ｎフレームのフレーム情報を読み出す。ここで読み出されるフレーム情報は、例えば第Ｎフレームが、複数のフレームのうち何番目のフレームであるかを示す識別情報などである。
【０１７７】
次にコントローラ４２１は、比率を変更するか否かを判断するための時間に係る情報を読み出して設定する（Ｓ１８０３）。この時間に係る情報は、コントローラ４２１が比率を変更するか否かを判断する基準となる変更基準時間であり、設定部４２５により設定されて、図示しない記憶手段などに保持されていても良い。ここで本実施形態の表示装置４００において予め設定された比率を２／３とし、コントローラ４２１は順次表示切換処理を開始する（Ｓ１８０４）。
【０１７８】
コントローラ４２１は、画素グループＡに属する画素電極に第Ｎフレームのパターンを表示させ、画素グループＢに属する画素電極及び画素グループＣに属する画素電極に第（Ｎ＋１）フレームのパターンを表示させるべく、走査線１０６及び信号線１０７に信号を印加する（Ｓ１８０５）。すなわち、ＴＦＴ１０５がオンになっている走査線上に位置する画素電極１０２が、画素グループＡに属する画素電極の場合は、信号線１０７に第Ｎフレームの表示データ信号を印加する。そして、ＴＦＴ１０５がオンになっている走査線上に位置する画素電極１０２が、画素グループＢ及び画素グループＣに属する画素電極の場合は、信号線１０７に第（Ｎ＋１）フレームの表示データ信号を印加する。
【０１７９】
次に、コントローラ４２１は、第（Ｎ＋１）フレームが目標フレームであるか否かを判定する（Ｓ１８０６）。第（Ｎ＋１）フレームが目標フレームであった場合、コントローラ４２１は、画素グループＡ、画素グループＢ及び画素グループＣの全てに第（Ｎ＋１）フレームのパターンを表示させるべく、走査線１０６と信号線１０７へ信号を印加する（Ｓ１８０７）。そして、表示部４１０に第（Ｎ＋１）フレームを表示させ、表示切換処理を終了する（Ｓ１８０８）。
【０１８０】
Ｓ１８０６において、第（Ｎ＋１）フレームが目標フレームでなかった場合、コントローラ４２１は、順次表示切換処理が開始されてからこの時点までに経過した時間、すなわち順次表示切換処理の継続時間と、Ｓ１８０３において設定された比率の変更基準となる変更基準時間とを比較する（Ｓ１５０９）。そしてコントローラ４２１は、順次表示切換の継続時間が変更判断基準時間よりも長かった場合、（Ｎ＝Ｎ＋１）とし（Ｓ１８１０）変更部４２６により比率を変更させる。ここで本実施形態では、変更後の比率を１／３とした（Ｓ１８１１）。尚、比率を変更した後の処理については、別途説明する。
【０１８１】
Ｓ１８０９において順次表示切換の継続時間が変更基準時間よりも短かった場合、コントローラ４２１は、画素グループＡ及び画素グループＢに第（Ｎ＋２）フレームのパターンを表示させ、画素グループＣに第（Ｎ＋１）フレームのパターンを表示させるべく、走査線１０６と信号線１０７に信号を印加する（Ｓ１８１２）。
【０１８２】
次にコントローラ４２１は、第（Ｎ＋２）フレームが目標フレームであるか否かを判定する（Ｓ１８１３）。Ｓ１８１３において、第（Ｎ＋２）フレームが目標フレームであった場合、コントローラ４２１は、画素グループＡ、画素グループＢ及び画素グループＣの全てに第（Ｎ＋２）フレームのパターンを表示させるべく、走査線１０６と信号線１０７へ信号を印加する（Ｓ１８１４）。そして、表示部４１０に第（Ｎ＋２）フレームを表示させ、表示切換処理を終了する（Ｓ１８０８）。
【０１８３】
Ｓ１８１３において、第（Ｎ＋２）フレームが目標フレームでなかった場合、コントローラ４２１は、順次表示切換処理が開始されてからＳ１８１２の時点までに経過した時間、すなわち順次表示切換処理の継続時間と、Ｓ１８０３において設定された比率の変更基準となる変更基準時間とを比較する（Ｓ１８１５）。そしてコントローラ４２１は、順次表示切換の継続時間が変更基準時間よりも長かった場合、（Ｎ＝Ｎ＋２）とし（Ｓ１８１６）変更部４２６により比率を変更させる（Ｓ１８１１）。
【０１８４】
Ｓ１８１５において順次表示切換の継続時間が変更基準時間よりも短かった場合、コントローラ４２１は、画素グループＡ及び画素グループＣに第（Ｎ＋３）フレームのパターンを表示させ、画素グループＢに第（Ｎ＋２）フレームのパターンを表示させるべく、走査線１０６と信号線１０７に信号を印加する（Ｓ１８１７）。
【０１８５】
次にコントローラ４２１は、第（Ｎ＋３）フレームが目標フレームであるか否かを判定する（Ｓ１８１８）。Ｓ１８１８において、第（Ｎ＋３）フレームが目標フレームであった場合、コントローラ４２１は、画素グループＡ、画素グループＢ及び画素グループＣの全てに第（Ｎ＋３）フレームのパターンを表示させるべく、走査線１０６と信号線１０７へ信号を印加する（Ｓ１８１９）。そして、表示部４１０に第（Ｎ＋３）フレームを表示させ、表示切換処理を終了する（Ｓ１８０８）。
【０１８６】
Ｓ１８１８において、第（Ｎ＋３）フレームが目標フレームでなかった場合、コントローラ４２１は、順次表示切換処理が開始されてからＳ１８１８の時点までに経過した時間、すなわち順次表示切換処理の継続時間と、Ｓ１８０３において設定された比率の変更基準となる変更基準時間とを比較する（Ｓ１８２０）。そしてコントローラ４２１は、順次表示切換の継続時間が変更基準時間よりも長かった場合、（Ｎ＝Ｎ＋３）とし（Ｓ１８２１）変更部４２６により比率を変更させる（Ｓ１８１１）。
【０１８７】
Ｓ１８２０において順次表示切換の継続時間が変更基準時間よりも短かった場合、コントローラ４２１は、画素グループＡに第（Ｎ＋４）フレームのパターンを表示させ、画素グループＢ及び画素グループＣに第（Ｎ＋３）フレームのパターンを表示させるべく、走査線１０６と信号線１０７に信号を印加する（Ｓ１８２２）。
【０１８８】
以下、表示装置４００では表示部４１０において目標フレームが出現するまでＳ１８０５からＳ１８２２までの処理を繰り返す。
【０１８９】
次にＳ１８１１において、変更部４２６により比率が変更された場合の処理について説明する。
【０１９０】
本実施形態の表示装置４００において、比率が１／３に変更されると、画素グループＡ、画素グループＢ及び画素グループＣのそれぞれに異なるフレームが表示されることになる。
よってこの場合の表示装置４００の動作は、第一の実施形態の図１６におけるＳ１６０２以降の動作と同様である。よって、本実施形態において比率が１／３とされた場合の表示装置４００の動作の説明は省略する。尚このとき、本実施形態の画素グループＡが図１６に示す例の画素グループＣに該当し、本実施形態の画素グループＢが図１６に示す例の画素グループＤに該当し、本実施形態の画素グループＣが図１６に示す例の画素グループＥに該当する。
【０１９１】
本実施形態の表示装置において、比率が１／３に変更されると、表示切換の速度は従来の表示装置の表示切換速度の約１／３となる。表示装置４００における比率変更前の表示切換速度は、従来の表示装置の表示切換速度の約２／３であるから、本実施形態の表示装置４００では比率を変更することにより表示切換の速度を変更できることがわかる。
【０１９２】
このとき、変更後の比率の値を、変更前の比率の値よりも小さい値に設定しておけば、表示装置４００における表示切換の速度を早くすることができる。よって本実施形態の表示装置４００では、所望のフレーム（ページ）を表示させるまでの時間を短縮でき、迅速に所望のフレームを表示させることができる。
【０１９３】
また本実施形態の表示装置４００では、例えば変更後の比率の値を、変更前の比率の値よりも大きい値とすることにより表示切換の速度を遅くすることもできる。よって、本実施形態の表示装置４００では、フレームの表示切換の速度をユーザの使用形態に合わせて調整することができ、表示装置４００の操作性を向上させることができる。
【０１９４】
尚本実施形態では、図１８のＳ１８０３において比率を変更する基準を時間情報としたが、この基準を表示された所定フレーム数としても良い。この場合には、表示装置４００には、表示部４１０に表示されたフレーム数をカウントするカウンタ機能が備えられていることが好ましい。このカウンタ機能は、例えばコントローラ４２１が実現しても良い。
【０１９５】
比率を変更する基準を所定フレーム数とした場合について、以下に説明する。比率の変更基準を所定フレーム数とする場合、コントローラ４２１は、図１８のＳ１８０３において、変更基準時間の代わりに、変更基準フレーム数を設定する。
【０１９６】
そしてコントローラ４２１は、Ｓ１８０９において、順次表示切換処理が開始された後、表示部４１０に表示されたフレーム数が、変更基準フレーム数に達しているか否かを判定する。そして、順次表示切換処理が開始されてから表示部４１０に表示されたフレーム数が変更基準フレーム数に達していた場合に、比率を変更する処理へ移行すれば良い。
【０１９７】
このようにすれば、本実施形態において、変更基準時間に基づき比率を変更する場合と同様の効果を得ることができる。
（第三の実施形態）
以下に図面を参照して本発明の第三の実施形態について説明する。
【０１９８】
本発明の第三の実施形態では、表示装置４００において順次表示切換処理の終了指示を受けたときの動作が第一の実施形態と相違する。よって、以下の本実施形態の説明においては第一の実施形態との相違点についてのみ説明し、第一の実施形態と同様の機能構成を有するものには第一の実施形態の説明で使用した符号と同様の符号を付与し、その説明を省略する。
【０１９９】
本実施形態の表示装置の構成は、第一の実施形態で説明した表示装置４００と同様である。以下に、図１９を参照して本実施形態の表示装置４００の動作について説明する。図１９は、第三の実施形態の表示装置４００において表示切換の終了指示を受けた場合を説明するフローチャートである。
【０２００】
本実施形態の表示装置４００では、表示切換処理の終了指示を受けたとき、この時点で表示部４１０に表示されているフレームから所定フレーム数遡ったフレームを目標フレームとして表示させる。尚、図１９に示す動作は、第一の実施形態で説明した画素グループ数の変更処理や、第二の実施形態で説明した比率の変更処理と組み合わされるものであっても良い。また、図１９に示す例では、表示部４１０において画素電極１０２が２つの画素グループに分割されているものとし、各画素グループを画素グループＡ、画素グループＢと呼ぶ。
【０２０１】
本実施形態の表示装置４００において、操作部４２７により順次表示切換処理の開始指示がなされると、コントローラ４２１は順次表示切換処理を開始する（Ｓ１９０１）。ここでコントローラ４２１は、処理が開始された時点で表示部４１０に表示されていた初期フレームを、Ｎ番目のフレームを意味する第Ｎフレームとし（Ｓ１９０２）、メモリ４２２よりこの第Ｎフレームのフレーム情報を読み出す。
【０２０２】
次にコントローラ４２１は、表示装置４００において表示切換処理の停止指示を受けたときに遡る所定フレーム数を設定する（Ｓ１９０３）。この設定は、例えば設定部４２５を用いて予め設定されており、メモリ４２２または図示しないその他の記憶手段に保持されていても良い。またこの設定は、順次表示切換処理の開始時に、ユーザにより操作部４２７を用いて入力されたものが保持されていても良い。この場合コントローラ４２１は、Ｓ１９０３において、保持された所定フレーム数に係る設定を読み出せば良い。Ｓ１９０３における所定フレーム数の設定についての詳細は後述する。
【０２０３】
次にコントローラ４２１は、画素グループＡに第Ｎフレームのパターンを表示させ、画素グループＢに第（Ｎ＋１）フレームのパターンを表示させるべく、走査線１０６および信号線１０７へ信号を印加する（Ｓ１９０４）。そしてコントローラ４２１は、第（Ｎ＋１）フレームが目標フレームであるか否かを判定する（Ｓ１９０５）。尚ここで、本実施形態の表示装置４００は、操作部４２７により順次表示切換処理の終了指示がなされた場合に、表示部４１０において目標フレームが表示されたものと判定する。この判定は、ある走査が終了した後、その次の走査が開始されるまでの間に実行される。
【０２０４】
Ｓ１９０５において、第（Ｎ＋１）フレームが目標フレームであった場合、コントローラ４２１は、画素グループＡ及び画素グループＢの両方に、第（Ｎ＋１）フレームからＳ１９０３において設定した所定フレーム数遡ったフレームのパターンを表示させるべく、走査線１０６と信号線１０７へ信号を印加する（Ｓ１９０６）。そしてコントローラ４２１は、表示切換処理を終了する（Ｓ１９０７）。尚、コントローラ４２１は、表示部４１０において目標フレームに到達し、表示切換処理を終了する際に、目標フレームが複数フレームのうち、どのフレームであったかを示す情報をメモリ４２２へ格納しても良い。
【０２０５】
Ｓ１９０５において、第（Ｎ＋１）フレームが目標フレームでなかった場合、コントローラ４２１は、画素グループＡに第（Ｎ＋２）フレームのパターンを表示させ、画素グループＢに第（Ｎ＋１）フレームのパターンを表示させるべく、走査線１０６と信号線１０７に信号を印加する（Ｓ１９０８）。
【０２０６】
次にコントローラ４２１は、第（Ｎ＋２）フレームが目標フレームであるか否かを判定する（Ｓ１９０９）。Ｓ１９０９において第（Ｎ＋２）フレームが目標フレームであった場合、コントローラ４２１は、画素グループＡ及び画素グループＢの両方に、第（Ｎ＋２）フレームからＳ１９０３において設定した所定フレーム数遡ったフレームのパターンを表示させるべく、走査線１０６と信号線１０７へ信号を印加する（Ｓ１９１０）。そしてコントローラ４２１は、順次表示切換処理を終了する（Ｓ１９１１）。
【０２０７】
Ｓ１９０９において、第（Ｎ＋２）フレームが目標フレームでなかった場合、コントローラ４２１は、画素グループＡに第（Ｎ＋３）フレームのパターンを表示させ、画素グループＢに第（Ｎ＋２）フレームのパターンを表示させるべく、走査線１０６と信号線１０７に信号を印加する（Ｓ１９１１）。
【０２０８】
以下、表示装置４００では表示部４１０において目標フレームが出現するまでＳ１９０４からＳ１９１１までの処理を繰り返す。
【０２０９】
以上のように、本実施形態の表示装置４００では、順次表示切換処理の終了指示がなされると、この時点で表示部４１０に表示されているフレームよりも、所定フレーム数遡ったフレームを目標フレームとすることができる。よって、例えばユーザが所望のフレームを視認してから順次表示切換処理を停止させる操作を行うまでの間に時間のずれがあった場合でも、ユーザの所望するフレームに近いフレームを目標フレームとして表示させることができる。このため本実施形態では、より迅速に所望のページを表示させることができる。
【０２１０】
以下に、Ｓ１９０３において行われる所定フレーム数の設定についてさらに説明する。
【０２１１】
本実施形態の表示装置４００では、表示切換の速度が速いほど表示部４１０に表示されるフレームの移り変わりが早く、表示切換の速度が遅いほどこの移り変わりが遅くなる。よって本実施形態の表示装置４００では、図１９の説明で述べた所定フレーム数は表示切換の速度に合わせた数値に設定されることが好ましい。すなわち、例えば表示切換の速度が速い場合には遡る所定フレーム数の値を大きく設定し、表示切換の速度が遅い場合には遡る所定フレーム数の値を小さく設定することが好ましい。
【０２１２】
そこで本実施形態の表示装置４００では、この所定フレーム数を画素グループの数、または比率により異なる値に設定するものとした。
【０２１３】
例えば本実施形態の表示装置４００において、画素グループの数が３つで比率が１／３の場合の所定フレーム数をＹａ、画素グループの数が２つで比率が１／２の場合の所定フレーム数をＹｂ、画素グループの数が３つで比率が２／３の場合の所定フレーム数をＹｃとしたとき、それぞれの所定フレーム数の関係は、Ｙａ＞Ｙｂ＞Ｙｃであることが好ましい。その理由は、画素グループの数が３で比率が１／３の場合が最も表示切換の速度が速く、画素グループの数が３つで比率が２／３の場合が最も表示切換の速度が遅いからである。ここで、図２０に画素グループの数及び比率と表示切換の速度の関係を示す。
【０２１４】
このように所定フレーム数を設定すれば、ユーザが目標フレームを視認してから操作部４２７により表示切換の終了指示を出すまでにタイムラグがあった場合でも、表示切換の速度に見合ったフレーム数遡ることができる。このため表示装置４００は、ユーザの所望する目標フレームにより近いフレームを表示させることができる。
【０２１５】
尚本実施形態の表示装置４００では、表示部４１０に表示させるフレームを所定フレーム数遡る処理において、この遡り処理の開始フレームとなるフレームを表示する画素グループが設定されていても良い。本実施形態の表示装置４００における遡り処理の開始フレームについて、画素グループの数が３、比率が１／３と設定されている場合を例として説明する。
【０２１６】
本実施形態の表示装置４００において、画素グループの数が３、比率が１／３と設定されている場合、表示部４１０におけるフレーム表示中は、常に各画素グループで表示された異なる３つのフレームが重畳して表示されている。よって表示部４１０では、順次表示切換処理の終了指示が出された時点においても、３つの異なるフレームが各画素グループに表示されている状態となる。そこで本実施形態の表示装置４００では、このような場合に備え、予めどの画素グループに表示されたフレームを開始フレームとするかを設定しておくことができる。
【０２１７】
例えば表示装置４００において画素グループＡに表示されたフレームを開始フレームとする設定がなされていたとする。この場合、コントローラ４２１は、順次表示切換処理の終了指示を受けた時点で画素グループＡに表示されているフレームを開始フレームとする。そしてコントローラ４２１は、画素グループＡに表示されたフレームを起点として、所定フレーム数遡ったフレームを表示させれば良い。この設定は、設定部４２５により予め設定されて、メモリ４２２またはそれ以外の表示装置４００の備える図示しない記憶手段に保持されていても良い。またはこの設定は、順次表示切換処理の開始時に、ユーザにより操作部４２７を用いて入力されて保持されても良い。
【０２１８】
以上、各実施形態において説明したように、本発明によれば表示切換の速度を調整可能とし、所望のページを迅速に表示させることができる。また、上記各実施形態に示した要件に本発明が限定されるものではない。これらの点に関しては、本発明の主旨をそこなわない範囲で変更することができ、その応用形態に応じて適切に定めることができる。
【産業上の利用可能性】
【０２１９】
本発明は、電気泳動素子を用いた表示装置及び表示方法に応用可能である。
【図面の簡単な説明】
【０２２０】
【図１】従来の表示装置１００の構成を説明する第一の図である。
【図２】従来の表示装置１００の構成を説明する第二の図である。
【図３】従来の表示装置１００のＴＦＴ１０５を拡大した図である。
【図４】従来の表示装置１００における表示部の一例を示す図である。
【図５】従来の表示装置１００におけるフレームの切換動作を説明するタイミングチャートである。
【図６】第一の実施形態の表示装置４００の構成を示すブロック図である。
【図７】第一の実施形態の表示部４１０を２つの画素グループに分割した場合を示す図である。
【図８】画素電極１０２を２つの画素グループに分割する他の例を示す図である。
【図９】表示部４１０に表示される複数のフレームの例を示す図である。
【図１０】２つの画素グループにおいて、それぞれに表示されるフレームのパターンを説明するタイミングチャートである。
【図１１】図１０のタイミングチャートに対応させた走査線１０６、信号線１０７への入力信号及び表示部４１０の表示状態を説明する図である。
【図１２】第一の実施形態の表示部４１０において、画素電極１０２が３つの画素グループに分割された場合を示す図である。
【図１３】３つの画素グループにおいて、それぞれ順次表示するフレームのパターンを説明するタイミングチャートである。
【図１４】図１３のタイミングチャートに対応させた走査線、信号線への入力信号及び表示部の表示状態を示す図である。
【図１５】第一の実施形態の表示装置４００において画素グループの数を変更する動作を説明するフローチャートである。
【図１６】第一の実施形態の表示装置４００において画素グループの数が変更された後の動作を説明するフローチャートである。
【図１７】第二の実施形態において比率２／３の場合であるときの表示切換の速度を説明するタイミングチャートである。
【図１８】第二の実施形態の表示装置４００において比率を変更する動作を説明するフローチャートである。
【図１９】第三の実施形態の表示装置４００において表示切換の終了指示を受けた場合を説明するフローチャートである。
【図２０】画素グループの数及び比率と表示切換の速度の関係を示す図である。
【符号の説明】
【０２２１】
１００、４００  表示装置
１０２  画素電極
１０５  ＴＦＴ
１０６  走査線
１０７  信号線
１０８、４２１  コントローラ
１０９、４２２、メモリ
４１０  表示部
４２５  設定部
４２６  変更部
４２７  操作部
【図１】
2008164793.tif 000003
【図２】
2008164793.tif 000004
【図３】
2008164793.tif 000005
【図４】
2008164793.tif 000006
【図５】
2008164793.tif 000007
【図６】
2008164793.tif 000008
【図７】
2008164793.tif 000009
【図８】
2008164793.tif 000010
【図９】
2008164793.tif 000011
【図１０】
2008164793.tif 000012
【図１１】
2008164793.tif 000013
【図１２】
2008164793.tif 000014
【図１３】
2008164793.tif 000015
【図１４】
2008164793.tif 000016
【図１５】
2008164793.tif 000017
【図１６】
2008164793.tif 000018
【図１７】
2008164793.tif 000019
【図１８】
2008164793.tif 000020
【図１９】
2008164793.tif 000021
【図２０】
2008164793.tif 000022